(57)【要約】【課題】  握り部の幅が相当異なる各種の送受話器に対応することができ、握り部の幅が狭く、握り部が薄い送受話器である場合にも、送受話器をしっかりと固定することができ、また握り部の幅が広く、握り部が厚い送受話器である場合にも、送受話器の側部が擦れて、その側部に傷が付いたりせず、携帯電話などで側部にスイッチ類を設けてあるものでも、そのスイッチ類を破損してしまうことのない送受話器保持具を提供する。【解決手段】  頭部への取付部材１の一端に、伸縮自在で適宜方向に屈曲可能とし、その屈曲状態を保持できるアーム２を連結するとともに、このアーム２の先端部に、送受話器Ｔの側部に隙間Ｓを開けて挟持できるようにした挟持部材３を設けたものとしている。【選択図】    図１
2006067449.tif 000002
【特許請求の範囲】
【請求項１】
頭部への取付部材（１）の一端に、伸縮自在で適宜方向に屈曲可能とし、その屈曲状態を保持できるアーム（２）を連結するとともに、このアーム（２）の先端部に、送受話器（Ｔ）の側部に隙間（Ｓ）を開けて挟持できるようにした挟持部材（３）を設けたことを特徴とする送受話器保持具。
【請求項２】
前記取付部材（１）を、弾性を有する帯状体（１ａ）の両端部に、頭の側部への当接体（１ｂ）を内側に向けて設けたものとしたことを特徴とする請求項１記載の送受話器保持具。
【請求項３】
前記アーム（２）を、帯状体（１ａ）からスライドロック式として伸縮自在とした第一アーム（２ａ）に、蛇腹状に形成して適宜方向に屈曲可能とし、その屈曲状態を保持できるようにしたフレキシブルチューブからなる第二アーム（２ｂ）を連結したものとしたことを特徴とする請求項１または２記載の送受話器保持具。
【請求項４】
前記挟持部材（３）を、一対の挟持体（５）の間にねじりコイルばね（６）を取り付けたものとし、それら挟持体（５）を、それぞれ送受話器（Ｔ）の側部に隙間（Ｓ）を開けて接するように湾曲させた複数本の挟持歯（７）を有してなる挟み片（５ａ）に摘み片（５ｂ）を連結してなるものとし、さらに挟み片（５ａ）の挟持歯（７）を、略上半部に位置するものを短く、略下半部に位置するものを長くしたものとしたことを特徴とする請求項１〜３の何れかに記載の送受話器保持具。
【発明の詳細な説明】
【技術分野】
【０００１】
この発明は、携帯電話、またはコード付き電話やコードレス電話の送受話器を保持して、両手を自由に使うことのできる送受話器保持具に関するものである。
【背景技術】
【０００２】
従来、この種の送受話器保持具としては、例えば図５に示したように、バネ性を付与した材料で形成した第一Ｃ字状体２１の一端に、伸縮自在かつ所望位置で固定可能なアーム部２２を連結するとともに、このアーム部２２に送受話器挟持体２５を配設し、さらに前記第一Ｃ字状体２１に対し第二Ｃ字状体２８を所望角度を保持して連結したものとしている。そして、前記送受話器挟持体２５は、断面をＣ字状に形成しており、このＣ字状の一方又は双方の側壁部２６が弾性的であることが、握り部の幅が異なる各種の送受話器Ｔに共通的に使用可能になる点で好ましいとしている。さらに、不慮に脱落することをより確実に防止するためには、前記送受話器挟持体２５の下端をＬ字状に形成するか別部材をもってＬ字状となるストッパー２７を配設してもよいとしている（特許文献１）。
【特許文献１】特開平９−２３８１８１号公報（第２、３頁、図１）
【発明の開示】
【発明が解決しようとする課題】
【０００３】
しかしながら、上記従来の送受話器保持具は、前記送受話器挟持体２５の断面をＣ字状に形成しており、このＣ字状の一方又は双方の側壁部２６が弾性的であるとし、握り部の幅が異なる各種の送受話器Ｔに共通的に使用可能になるとしているが、送受話器挟持体２５の側壁部２６の弾性変形の度合いはそれ程大きくすることはできず、握り部の幅が相当異なる各種の送受話器Ｔには対応することができないという問題点を有していた。
【０００４】
さらに、上記従来の送受話器保持具では、送受話器Ｔを送受話器挟持体２５に固定するには、この送受話器挟持体２５に差し込むようにしているので、握り部の幅が狭く、握り部が薄い送受話器Ｔである場合には、差し込んだ送受話器Ｔとの間に隙間が生じて、送受話器Ｔをしっかりと固定することができず、また握り部の幅が広く、握り部が厚い送受話器Ｔである場合には、差し込むときに送受話器Ｔの側部が擦れて、その側部に傷が付いたり、また携帯電話などで側部にスイッチ類を設けてあるものでは、そのスイッチ類を破損してしまうことがあるという問題点を有していた。
【０００５】
そこで、この発明は、上記従来の問題点を解決することを課題としており、握り部の幅が相当異なる各種の送受話器に対応することができ、握り部の幅が狭く、握り部が薄い送受話器である場合にも、送受話器をしっかりと固定することができ、また握り部の幅が広く、握り部が厚い送受話器である場合にも、送受話器の側部が擦れて、その側部に傷が付いたりせず、携帯電話などで側部にスイッチ類を設けてあるものでも、そのスイッチ類を破損してしまうことのない送受話器保持具を提供することを目的としてなされたものである。
【課題を解決するための手段】
【０００６】
そのため、この発明の送受話器保持具は、頭部への取付部材１の一端に、伸縮自在で適宜方向に屈曲可能とし、その屈曲状態を保持できるアーム２を連結するとともに、このアーム２の先端部に、送受話器Ｔの側部に隙間Ｓを開けて挟持できるようにした挟持部材３を設けたものとしている。
【０００７】
そして、この発明の送受話器保持具は、前記取付部材１を、弾性を有する帯状体１ａの両端部に、頭の側部への当接体１ｂを内側に向けて設けたものとしている。
【０００８】
さらに、この発明の送受話器保持具は、前記アーム２を、帯状体１ａからスライドロック式として伸縮自在とした第一アーム２ａに、蛇腹状に形成して適宜方向に屈曲可能とし、その屈曲状態を保持できるようにしたフレキシブルチューブからなる第二アーム２ｂを連結したものとしている。
【０００９】
また、この発明の送受話器保持具は、前記挟持部材３を、一対の挟持体５の間にねじりコイルばね６を取り付けたものとし、それら挟持体５を、それぞれ送受話器Ｔの側部に隙間Ｓを開けて接するように湾曲させた複数本の挟持歯７を有してなる挟み片５ａに摘み片５ｂを連結してなるものとし、さらに挟み片５ａの挟持歯７を、略上半部に位置するものを短く、略下半部に位置するものを長くしたものとしている。
【発明の効果】
【００１０】
この発明の送受話器保持具は、以上に述べたように構成されているので、握り部の幅が相当異なる各種の送受話器に対応することができ、握り部の幅が狭く、握り部が薄い送受話器である場合にも、送受話器をしっかりと固定することができ、また握り部の幅が広く、握り部が厚い送受話器である場合にも、送受話器の側部が擦れて、その側部に傷が付いたりせず、携帯電話などで側部にスイッチ類を設けてあるものでも、そのスイッチ類を破損してしまうことのないがないものとなる。
【発明を実施するための最良の形態】
【００１１】
以下、この発明の送受話器保持具の実施の形態を、図面に基づいて詳細に説明する。
【００１２】
この発明の送受話器保持具は、図１〜３に示したように、頭部への取付部材１の一端に、伸縮自在で適宜方向に屈曲可能とし、その屈曲状態を保持できるアーム２を連結するとともに、このアーム２の先端部に、送受話器Ｔの側部に隙間Ｓを開けて挟持できるようにした挟持部材３を設けたものとしている。
【００１３】
取付部材１は、合成樹脂板や金属板などの弾性を有する帯状体１ａの両端部に、頭の側部への当接体１ｂを内側に向けて設けたものとしている。帯状体１ａは、頭の頂部から両側部に沿うように湾曲させた形状に形成されている。当接体１ｂは、帯状体１ａを頭に装着した状態で、この帯状体１ａが頭からずれるのを防ぐようにするものであり、ゴムや合成樹脂などの柔軟性を有する部材で、円盤状に形成されている。また、前記取付部材１は、帯状体１ａの適宜個所に設けた折曲げ部４によって折り曲げることにより、嵩を低くして折り畳んでおけるようにしている。
【００１４】
アーム２は、合成樹脂板や金属板などからなり、前記帯状体１ａからスライドロック式として伸縮自在とした第一アーム２ａに、金属で蛇腹状に形成して適宜方向に屈曲可能とし、その屈曲状態を保持できるようにしたフレキシブルチューブからなる第二アーム２ｂを連結したものとしている。
【００１５】
挟持部材３は、合成樹脂板や金属板などからなるものとしており、一対の挟持体５の間にねじりコイルばね６を取り付けたものとしている。この挟持部材３は、外表面や内表面に滑り止め用の凹凸を付けたり、滑り止め剤をコーテングするなどして、滑り止め加工を施しておくことができる。挟持体５は、それぞれ送受話器Ｔの側部に隙間Ｓを開けて接するように湾曲させた複数本の挟持歯７を有してなる挟み片５ａに摘み片５ｂを連結してなり、その連結部にそれぞれ設けたブラケット８を重ね合わせ、ブラケット８間に支軸９を掛け渡して、この支軸９にねじりコイルばね６の巻部を通すとともに、ねじりコイルばね６の両端を摘み片５ｂに当接させたものとしている。さらに、挟持体５の挟み片５ａの下部には、送受話器Ｔの下端を支持するようにした支持片１０が設けられている。この支持片１０は、挟み片５ａの最下端に、挟持歯７に連設したものとしたり、挟持歯７とは別体として設けたものとしている。また、挟み片５ａの挟持歯７は、略上半部に位置するものを短く、略下半部に位置するものを長くしている。このようにすれば、送受話器Ｔの耳に当てる上部が、短い挟持歯７で挟持されるので、その挟持歯７が耳につかえて送受話時の邪魔になるようなことはない。
【００１６】
以上のように構成されたこの発明の送受話器保持具は、摘み片５ｂを手で摘んで挟み片５ａを開放し、その開放した部分に送受話器Ｔを置き、摘み片５ｂから手を放して挟み片５ａを閉鎖すれば、図２、３に示したように、挟持部材３に送受話器Ｔが挟持されることになる。したがって、このような操作で送受話器Ｔが挟持部材３に挟持されることになるので、送受話器Ｔの握り部の幅が相当異なる各種の送受話器Ｔにも対応することができるものとなる。
【００１７】
そして、前記送受話器Ｔを挟持した送受話器保持具の取付部材１を頭に掛ける。この場合、取付部材１の両端に設けた当接体１ｂは、耳の上方に位置するようにすれば、頭の側部にバランスよく当接するので、取付部材１が頭からずれることがない。
【００１８】
さらに、第一アーム２ａをスライドさせて長さ調整するとともに、第二アーム２ｂを適宜屈曲させて、図４に示したように、挟持部材３に挟持された送受話器Ｔの上部のスピーカ部が耳に当たるようにするとともに、送受話器Ｔの下部のマイク部が口に接近するように調節する。
【００１９】
以上に述べたように、この発明の送受話器保持具に保持された送受話器Ｔは、握り部の幅が狭く、握り部が薄い場合にも、その送受話器Ｔを挟持部材３によってしっかりと固定することができ、また握り部の幅が広く、握り部が厚い場合にも、その送受話器Ｔの側部が擦れて、その側部に傷が付いたりせず、携帯電話などで側部にスイッチ類を設けてあるものでも、そのスイッチ類を破損してしまうことのないものとなる。
【図面の簡単な説明】
【００２０】
【図１】この発明の送受話器保持具の一実施形態を示す斜視図である。
【図２】この発明の送受話器保持具の挟持部材により送受話器を挟持した状態を示す斜視図である。
【図３】この発明の送受話器保持具の挟持部材により送受話器を挟持した状態を示す平面図である。
【図４】この発明の送受話器保持具の使用状態を示す斜視図である。
【図５】従来の送受話器保持具の斜視図である。
【符号の説明】
【００２１】
１  取付部材
１ａ  帯状体
１ｂ  当接体
２  アーム
２ａ  第一アーム
２ｂ  第二アーム
３  挟持部材
５  挟持体
５ａ  挟み片
５ｂ  摘み片
６  ねじりコイルばね
７  挟持歯
Ｓ  隙間
Ｔ  送受話器
【図１】
2006067449.tif 000003
【図２】
2006067449.tif 000004
【図３】
2006067449.tif 000005
【図４】
2006067449.tif 000006
【図５】
2006067449.tif 000007